(57)【特許請求の範囲】
【請求項１】
ブロードバンドマトリクスと、
通信ネットワークに結合された少なくとも１個の高速ラインターミネイティング装置と、
前記ブロードバンドマトリクス及び高速ラインターミネイティング装置に相互に接続されるインテグレーテッドオフィスリンクであって、ネットワークレートでの複数のマルチプレクスド専有光信号の内部信号のデュプレクス送信を搬送するインテグレーテッドオフィスリンクとからなり、
前記ブロードバンドマトリクス及び高速ラインターミネイティング装置の各々は、前記インテグレーテッドオフィスリンクに結合され、前記複数のマルチプレクスド専有光信号を受信及び送信し、更に前記複数のマルチプレクスド専有光信号と複数のデマルチプレクスド専有電気信号とを変換する光インタフェース回路を含み、
前記内部信号は、ペイロードと、制御情報及び障害回復データを伴うオーバヘッドフィールドとを含み、
前記オーバヘッドフィールドは、
前記ブロードバンドマトリクス内のクロスコネクションチャネルを表示する前記各専有光信号に関連するチャネル識別コードを含む、
クロスコネクトシステム。
【請求項２】
更に、前記通信ネットワークからのオーバヘッドフィールドを受信しターミネートする前記高速ラインターミネイティング装置に結合され、更に前記光インタフェース回路に結合され前記オーバヘッドフィールドを処理のために受信する付属プロセッサを含む請求項１に記載のクロスコネクトシステム。
【請求項３】
前記オーバヘッドフィールドは、専有オーバヘッドフィールド、ネットワークオーバヘッドトランスポートフィールド、障害回復フィールド及び通信チャネルフィールドを含む請求項１に記載のクロスコネクトシステム。
【請求項４】
前記少なくとも１個の高速ラインターミネイティング装置は、ネットワーク信号を受信し、それらからオーバヘッドフィールドを抜き出し、前記ブロードバンドマトリクスへの前記インテグレーテッドオフィスリンク上での送信のためのオーバヘッドフィールドを伴う専有光信号を生成する回路を含む請求項１に記載のクロスコネクトシステム。
【請求項５】
更に、前記高速ラインターミネイティング装置を備えたブロードバンド障害回復エンドポイントを含む請求項１に記載のクロスコネクトシステム。
【請求項６】
前記障害回復エンドポイントは、前記チャネル識別コード及びパリティコードを監視し、関連する障害を検出する障害モニタを含む請求項５に記載のクロスコネクトシステム。
【請求項７】
更に、前記高速ラインターミネイティング装置及び光インタフェース回路を備えたブロードバンド障害回復モニタを含む請求項１に記載のクロスコネクトシステム。
【請求項８】
前記オーバヘッドフィールドは、更に、試験パスに沿って障害切分けプロセスに同期するモニタイネーブリング部分を含み、前記試験パスは、当該試験パスに沿ってイネーブルとされた障害モニタからなる請求項６に記載のクロスコネクトシステム。
【請求項９】
更に、
ワイドバンドマトリクスと、
前記ワイドバンドマトリクスと前記ブロードバンドマトリクスとの間を、これら間での前記内部信号のデュプレクス送信を搬送するように相互に接続する第２のインテグレーテッドオフィスリンクと、
を含む請求項１に記載のクロスコネクトシステム。
【請求項１０】
更に、前記ワイドバンドマトリクスと前記第２のインテグレーテッドオフィスリンクとの間に結合された従属シグナルプロセッサを含み、前記従属シグナルプロセッサと前記ブロードバンドマトリクスとの各々は、前記第２のインテグレーテッドオフィスリンクに結合された光インタフェース回路を含む請求項９に記載のクロスコネクトシステム。
【請求項１１】
更に、
通信ネットワークに結合された少なくとも１個の低速ラインターミネイティング装置と、
前記ワイドバンドマトリクスと前記低速ラインターミネイティング装置との間を、これらの間での前記内部信号のデュプレクス送信を搬送するように相互に接続する第３のインテグレーテッドオフィスリンクと、
を含み、
前記低速ラインターミネイティング装置と前記ワイドバンドマトリクスとの各々は、前記第３のインテグレーテッドオフィスリンクに結合された前記光インタフェース回路を含む請求項１０に記載のクロスコネクトシステム。
【請求項１２】
更に、前記低速ラインターミネイティング装置を備えたワイドバンド障害回復エンドポイントを含む請求項１１に記載のクロスコネクトシステム。
【請求項１３】
前記内部信号は、チャネル識別コード及び障害回復のためのパリティコードを持つオーバヘッドフィールドを含み、前記エンドポイントは、前記チャネル識別コード及びパリティコードを監視し関連する障害を検出する障害モニタを含む請求項１２に記載のクロスコネクトシステム。
【請求項１４】
前記内部オーバヘッドフィールドは、更に、試験パスに沿って障害切分けプロセスに同期するモニタイネーブリング部分を含み、前記試験パスは、当該試験パスに沿ってイネーブルとされた障害モニタからなる請求項１３に記載のクロスコネクトシステム。
【請求項１５】
前記オーバヘッドフィールドは、前記ブロードバンドマトリクスにおけるクロスコネクションチャネルを表す前記各専有信号に関連するチャネル識別コードと、前記専有信号のパリティ値を表すパリティコードとを含む請求項１に記載のクロスコネクトシステム。
【請求項１６】
ブロードバンドマトリクスと、
通信ネットワークに結合された少なくとも１個の遠隔に設けられた高速ラインターミネイティング装置と、
前記ブロードバンドマトリクス及び高速ラインターミネイティング装置に相互に接続されるインテグレーテッドオフィスリンクであって、データペイロード及びオーバヘッドフィールドを備え、ネットワークレートでの複数のマルチプレクスド専有信号を含む内部信号のデュプレクス送信を搬送するインテグレーテッドオフィスリンクと、
遠隔に設けられたワイドバンドマトリクスと、
前記ブロードバンドマトリクスと前記遠隔に設けられたワイドバンドマトリクスとを相互に接続する第２のインテグレーテッドオフィスリンクと、
通信ネットワークに結合された少なくとも１個の遠隔に設けられた低速ラインターミネイティング装置と、
前記ワイドバンドマトリクスと前記低速ラインターミネイティング装置とを相互に接続する第３のインテグレーテッドオフィスリンクと、
前記高速ラインターミネイティング装置を含むブロードバンド障害回復エンドポイントと、
を含む統合多重化クロスコネクトシステム。
【請求項１７】
更に、各々のインテグレーテッドオフィスリンクの終端の各々に結合され前記専有信号を受信及び送信し、更に複数のマルチプレクスド専有信号と、複数のデマルチプレクスド専有電気信号とを変換する光インタフェース回路を含み、前記内部信号は制御情報及び障害回復データを伴うオーバヘッドフィールドを含む請求項１６に記載の統合多重化クロスコネクトシステム。
【請求項１８】
更に、通信ネットワークからのオーバヘッドフィールドを受信しターミネートする前記高速ラインターミネイティング装置に結合され、更に前記光インタフェース回路に結合され前記内部オーバヘッドフィールドを処理のために受信する付属のプロセッサを含む請求項１７に記載の統合多重化クロスコネクトシステム。
【請求項１９】
前記内部オーバヘッドフィールドは、専有オーバヘッドフィールド、ネットワークオーバヘッドトランスポートフィールド、障害回復フィールド及び通信チャネルフィールドを含む請求項１６に記載の統合多重化クロスコネクトシステム。
【請求項２０】
前記少なくとも１個の高速ラインターミネイティング装置は、ネットワーク信号を受信し、それらからオーバヘッドフィールドを抜き出し、前記ブロードバンドマトリクスへの前記インテグレーテッドオフィスリンク上での送信のための内部信号オーバヘッドフィールドを伴う専有信号を生成する回路を含む請求項１６に記載の統合多重化クロスコネクトシステム。
【請求項２１】
前記内部信号オーバヘッドフィールドは、前記ブロードバンドマトリクスにおけるクロスコネクションチャネルを表す専有信号の各々と関連するチャネル識別コードと、前記専有信号のパリティ値を表すパリティコードとを含む請求項１６に記載の統合多重化クロスコネクトシステム。
【請求項２２】
前記ブロードバンド障害回復エンドポイントは、前記チャネル識別コード及びパリティコードを監視し、関連する障害を検出する障害モニタを含む請求項２１に記載の統合多重化クロスコネクトシステム。
【請求項２３】
更に、前記高速ラインターミネイティング装置及び光インタフェース回路を含むブロードバンド障害回復モニタを含む請求項２１に記載の統合多重化クロスコネクトシステム。
【請求項２４】
前記内部オーバヘッドフィールドは、更に、試験パスに沿って障害切分けプロセスに同期させることをイネーブルとするモニタからなり、前記試験パスは当該試験パスに沿ってイネーブルとされた障害モニタを含む請求項２２に記載の統合多重化クロスコネクトシステム。
【請求項２５】
遠隔に設けられたクロスコネクトマトリクスと、通信ネットワークに結合された関連ラインターミネイティング装置とを相互に接続するための方法であって、
前記通信ネットワークからネットワークデータ及びオーバヘッドフィールドを含むネットワーク信号を受信するステップと、
前記ネットワークオーバヘッドフィールドを抜き出すステップと、
選択されたネットワークオーバヘッドフィールドを処理しターミネイトし、前記ネットワーク信号を１つ又は１つ以上の専有信号に変換し、制御及び障害回復情報を含むオーバヘッドフィールドを生成し前記専有信号に挿入するステップと、を含み、
前記オーバヘッドフィールドを生成するステップは、
前記専有信号のためのマトリクスクロスコネクションパスを決定するステップと、
前記マトリクスクロスコネクションパスに関連したユニークなチャネル識別コードを生成して、当該チャネル識別コードを前記オーバヘッドフィールドに挿入するステップと、
前記専有信号のためのパリティ値を決定するステップと、
前記パリティ値を前記オーバヘッドフィールドに挿入するステップと、
前記専有信号を光内部信号に変換し、遠隔のクロスコネクトマトリクスに対してインテグレーテッドオフィスリンク上で前記内部信号を送信するステップと、
を含む方法。
【請求項２６】
前記遠隔のクロスコネクトマトリクスが前記内部信号を受信し，当該内部信号を専有信号に変換するステップと，
前記専有信号からオーバヘッドフィールドを抜き出し，当該抜き出されたオーバヘッドフィールドを処理するステップと、
前記専有信号をクロスコネクトするステップと，
を含む請求項２５に記載の方法。
【請求項２７】
更に、障害回復エンドポイントを規定するステップと、
前記障害回復エンドポイントにおいて、前記オーバヘッドフィールド内の前記チャネル識別コード及びパリティ値を監視するステップと、
障害を検出して報告するステップと、
を含む請求項２６に記載の方法。
【請求項２８】
更に、検出された障害を受ける専有信号の送信パスを識別するステップと、
前記送信パスに対応する試験パスであって、多重障害モニタを有する試験パスを設定するステップと、
前記試験パスに沿って、多重ポイントにおいて、前記オーバヘッドフィールド内の前記チャネル識別コード及びパリティ値を監視するステップと、
前記監視するステップに対する応答において障害の原因を決定するステップと、
を含む請求項２７に記載の方法。
【請求項２９】
更に、前記オーバヘッドフィールド内にモニタイネーブルを含むステップと、
前記送信パスを識別するステップの後に、前記モニタイネーブルをリセットするステップと、
前記試験パスを設定するステップの後に、障害切分けタイマをスタートさせ、前記モニタイネーブルをセットするステップと、
前記障害切分けタイマの終了の後に、前記モニタイネーブルをリセットするステップと、
前記障害の原因を決定するステップの後に、前記モニタイネーブルをセットするステップと、
を含む請求項２８に記載の方法。
【請求項３０】
前記障害の原因を決定するステップは、前記試験パスに沿って障害モニタの各々をポーリングするステップを含む請求項２８に記載の方法。
【請求項３１】
前記専有信号を前記内部信号に変換して、第２の遠隔のクロスコネクトマトリクスに対して第２のインテグレーテドオフィスリンク上で前記内部信号を送信するステップと、
前記第２の遠隔のクロスコネクトマトリクスが前記内部信号を受信して、当該内部信号を前記専有信号に変換するステップと、
前記専有信号から前記オーバヘッドフィールドを抜き出して、当該抜き出したオーバヘッドフィールドを処理するステップと、
前記専有信号をクロスコネクトするステップと、
を含む請求項２６に記載の方法。
【請求項３２】
前記専有信号を前記内部信号に変換して、ラインターミネイティング装置に対して前記インテグレーテドオフィスリンク上で前記内部信号を送信するステップと、
前記ラインターミネイティング装置が前記内部信号を受信して、当該内部信号を前記専有信号に変換するステップと、
前記専有信号から前記オーバヘッドフィールドを抜き出して、当該抜き出したオーバヘッドフィールドを処理するステップと、
ネットワークオーバヘッドフィールドを挿入してネットワーク信号を生成するステップと、
前記ネットワーク信号を前記通信ネットワークに送信するステップと、
を含む請求項２６に記載の方法。
【請求項３３】
更に、前記インテグレーテドオフィスリンク上に送信された前記内部信号からタイミング情報を抜き出すステップをさらに含む請求項２６に記載の方法。
【請求項３４】
処理及びラインのターミネートのために、前記抜き出したオーバヘッドフィールドを付属のプロセッサにルーティングするステップをさらに含む請求項２６に記載の方法。
【請求項３５】
前記オーバヘッドフィールドを生成するステップは、
前記専有信号のためのマトリクスクロスコネクションパスを決定するステップと、
前記マトリクスクロスコネクションパスに関連したユニークなチャネル識別コードを生成して、当該チャネル識別コードを前記オーバヘッドフィールドに挿入するステップと、
前記専有信号のためのパリティ値を決定するステップと、
前記パリティ値を前記オーバヘッドに挿入するステップと、
を含む請求項２５に記載の方法。
【発明の詳細な説明】
発明の技術分野
この発明は総体的には通信システムに関する。より詳しくは、本発明は、ネットワークトラヒックをトランスポートするための多重マトリクスサブシステムを相互に接続するインテグレーテッドオフィスリンクに関する。
発明の背景
デジタルクロスコネクトシステムは通信のトランスポートネットワークの統合された部分である。それらは、交換通信事業者、長距離通信事業者及び競合するバイパス通信事業者を含む全てのサービスプロバイダによってますます多く使用される。現存するデジタルクロスコネクトシステムのアーキテクチャは、一般に、全てのクロスコネクションがシングルスイッチングノード又は構造（fabric）を介して行われるシングルコアのアプローチに基礎を置いている。今日のトランスポートネットワークにおいて用いられるレーヤードシングルストラクチャを取り扱うために、これらのシングルスイッチングノードは直列に接続される。
新しいデータ、音声及びイメージのアプリケーションはネットワークトラヒックの本質における根本的な変化を引き起こしているので、ネットワークアーキテクチャはこの変化に適応するように発展することが求められる。従来におけるように音声データにより支配されることに替わり、ネットワークトラヒックはますますバーストな高速データ送信を搬送（carry）することになる。ユーザアプリケーションと、フレームリレー、スイッチド多重メガビットデータサービス及び非同期転送モード（ＡＴＭ）を含む新しいネットワーク技術とは、同期光ネットワーク即ちＳＯＮＥＴ向けのトランスポートネットワークへと進んでいる。ＳＯＮＥＴは新しいトランスポートメディアであり、セントラルオフィススイッチングシステム間の中規模の集合を可能とするように設計された。それは、マルチプレクスド（多重化された）トラヒックのための及びオペレーションとメンテナンスプロシジャのための、光信号と同期フレーム構造とを規定する。
ＳＯＮＥＴはネットワークの複雑さに多次元の増加を持ち込んだ。新しいブロードバンド及びワイドバンドの同期ペイロードエンベロープ（ＳＰＥ）にはめ込まれた信号フォーマットが非常に多く存在する。ＤＳ１信号は北アメリカでの基礎的なトランスポートレートを与える。ＤＳ１フレームは２４個のＤＳ０（６４ｋｂｓ）音声又はデータチャネルを搬送する機能がある。ＤＳ１信号は多数のウェイにおける新しいＳＯＮＥＴ  ＳＴＳ−１（同期トランスポート信号レベル１）ＳＰＥ内に位置付けられることができる。１）ＤＳ１信号はＭ１／３マルチプレクサを介してＤＳ３フレーム内にマルチプレクスされることができ、ＤＳ３信号は非同期にＳＴＳ−１  ＳＰＥ内に位置付けられる（mapped）ことができる。２）ＤＳ１信号は同期して又は非同期にフローティングＶＴ１．５（仮想的従属）ペイロード内に位置付けられることができ、ＶＴ１．５信号はＳＴＳ−１  ＳＰＥ内にマルチプレクスされることができる。しかしながら、これらのアプローチは、エンドツーエンドのパス（通信径路）の完全性を保証するために個々にグルームされマルチプレクスされスイッチ（交換）されるべきではあるが、３つの互換性のないワイドバンドの構成を生み出す。この解析は、最早、ネットワークがトラヒックをトランスペアレントに伝えない、という事実に光をあてることになる。ネットワークはユーザ間のトラヒックをそのままで伝えるために異なるペイロードを認めなければならないので、デジタルクロスコネクトシステムは３つのフォーマットの全てを等しく取り扱うことができなければならない。
従って、回路及びセルベーストラヒックを経路に従って送信（route）し操作するためのナローバンド、ワイドバンド及びブロードバンドサブシステムを統合するデジタルクロスコネクトシステムの利点が認識されている。この課題を達成するために、非同一位置配置（non-co-located）クロスコネクトマトリクスと、データ、制御、タイミング情報及び選択されたネットワークのオーバヘッド情報を送信するための装置（equipment）とを、相互に接続するためのユニークなリンケージが与えられている。更に、エンドツーエンドのパスの完全性を保証するためにパスの保護手段が与えられている。
発明の要旨
本発明に従って、従来のシステムに関連する不利益を取り除くか又は実質的に減らす統合多重構造デジタルクロスコネクトインテグレーテッドオフィスリンクが与えられる。
本発明の一例において、統合多重構造クロスコネクトシステムは、ブロードバンドマトリクスと、通信ネットワークに結合された少なくとも１個の高速ラインターミネイティング装置と、ブロードバンドマトリクス及び高速ラインターミネイティング装置に相互に接続されるインテグレーテッドオフィスリンクであって、ＯＣ−ＮレートでのＮマルチプレクスドＳＴＳ−１Ｐ信号の光ＩＯＬ−Ｎ信号のデュプレクス（全二重）送信を搬送するインテグレーテッドオフィスリンクとを含む。ブロードバンドマトリクス及び高速ラインターミネイティング装置の各々は、ＩＯＬ−Ｎ光信号を受信及び送信し更にＮマルチプレクスドＳＴＳ−１Ｐ光信号とＮデマルチプレスドＳＴＳ−１Ｐ電気信号とを変換するインテグレーテッドオフィスリンクに結合された光インタフェース回路を含む。インテグレーテッドオフィスリンク上に送出されたＩＯＬ−Ｎ信号は、ペイロードと、制御情報及び障害（又は故障、fault）回復データを伴うオーバヘッドフィールドとを含む。
本発明の他の一例において、インテグレーテッドオフィスリンクによって相互に接続される遠隔に設けられた構成要素（components）を有する統合多重構造クロスコネクトシステムが与えられる。このシステムは、ブロードバンドマトリクスと、通信ネットワークに結合された少なくとも１個の遠隔に設けられた高速ラインターミネイティング装置と、ブロードバンドマトリクス及び高速ラインターミネイティング装置に相互に接続されるインテグレーテッドオフィスリンクであって、ＯＣ−ＮレートでのＮマルチプレクスドＳＴＳ−１Ｐ光信号の光ＩＯＬ−Ｎ信号のデュプレクス送信を搬送するインテグレーテッドオフィスリンクとを含む。ＳＴＳ−１Ｐ信号はデータペイロード及びオーバヘッドフィールドを含む。更に、このシステムに含まれるものは、遠隔に設けられたワイドバンドマトリクスと、ブロードバンドマトリクスと遠隔に設けられたワイドバンドマトリクスとをＴＳＰユニットを介して相互に接続する第２のインテグレーテッドオフィスリンクと、通信ネットワークに結合された１つ又はそれ以上の任意の数の遠隔に設けられた低速ラインターミネイティング装置とであり、ワイドバンドマトリクスと低速ラインターミネイティング装置とが第３のインテグレーテッドオフィスリンクによって相互に接続される。クロスコネクトチャネル識別コードを含む障害回復情報とパリティ値はＩＯＬオーバヘッドフィールドの中に存在する。ＩＯＬオーバヘッドフィールド内の障害回復情報は、送信パスに沿って選択されたポイントにおいてモニタされる。障害を検出すると、送信パスにおける全てのモニタが、検出された障害の原因を切分けるために、ＩＯＬオーバヘッド障害回復情報をモニタする。
本発明の更に他の一例において、遠隔に設けられたクロスコネクトマトリクスと通信ネットワークに結合された関連ラインターミネイティング装置とを相互に接続する方法が与えられる。前記方法は、通信ネットワークからネットワークデータ及びオーバヘッドフィールドを含むネットワーク信号を受信し、ネットワークオーバヘッドフィールドを抜き出すステップを含む。抜き出されたネットワークオーバヘッドフィールドは、ターミネイトされ、処理される、即ち付属プロセッサへ経路に従って送信される。この付属プロセッサにおいて、オーバヘッドは、ブロードバンドマトリクスと並列に設けられた中央集中形オーバヘッドプロセッサへの経路に従った送信のためのＩＯＬ信号に挿入するために、処理されること、即ちＭＩへ経路に従って送信されることができる。ＳＴＳ  ＳＰＥは障害回復情報を内部に含むオーバヘッドフィールドを付加することによりＳＴＳ−１Ｐに変換される。ＳＴＳ−１Ｐは、ユニット制御装置からのＩＯＬ  ＣＯＭデータ、アプリケーションプロセッサからのＯＨＴデータ、及びＩＯＬ−Ｎ光信号を作り出すためのＩＯＬ障害回復情報と共にマルチプレクスされる。この信号は、インテグレーテッドオフィスリンク上で、遠隔のクロスコネクトマトリクスへ送信される。このクロスコネクトマトリクスにおいて、ＩＯＬ障害回復情報はターミネイトされ、ＩＯＬ  ＣＯＭデータは抜き出されてＴＣＣサブシステムへ経路に従って送信され、ＯＨＴデータは抜き出されて中央集中形オーバヘッドプロセッサへ経路に従って送信され、ＳＴＳ−１Ｐ信号はデマルチプレクスされてクロスコネクトされる。
【図面の簡単な説明】
本発明のより良い理解のために添付の図面が参照される。即ち、
図１は統合多重構造デジタルクロスコネクトシステムのハードウェアアーキテクチャの一例の高いレベルからのブロック図である。
図２Ａ及び図２Ｂはブロードバンド構造の一例のより詳細なブロック図である。
図３は高速光ラインターミネイティングユニットのオーバヘッドコネクションの一例のブロック図である。
図４は高速電気ラインターミネイティングユニットのオーバヘッドコネクションの一例のブロック図である。
図５はＳＯＮＥＴトランスポート及びパスオーバヘッドバイトの指示のチャートである。
図６はＳＴＳ−１Ｐパスモニタの一例の簡単化したブロック図である。
図７はパス欠陥切分けフローチャートである。
図８はＳＴＳ−１Ｐモニタイネーブルビットの論理及びタイミングを示す図である。
発明の詳細な説明
本発明の好ましい実施例及びその利点は、図面の図１−８を参照することによって最適に理解される。同一の参照符号は同一のもの及び各々の図面の対応する部分に用いられている。
図１を参照すると、高いレベルから見た、統合多重構造デジタルクロスコネクトシステム１０のハードウェアアーキテクチャのブロック図が示されている。統合多重構造デジタルクロスコネクトシステム１０は、アラーム処理及び準備、クラフトアクセス、タイミング及び通信制御等のシステム１０のための管理上の機能を与える管理及び制御サブシステム１２を含む。管理及び制御サブシステム１２は、もしクロスコネクトマトリクス２０−２４が互いに極めて接近して設けられていないなら、クロスコネクトマトリクス２０−２４のための分離され独立したタイミングサブシステムを含む。同一位置に配置（co-locate）されていない場合、独立したタイミングベースがブロードバンド１４、ワイドバンド１６及びナローバンドサブシステム１８の各々のために与えられる。
管理及び制御サブシステム１２は、コントロール２６、同期２７及び通信２８の３個のユニットからなるタイミング／通信制御装置サブシステム２５を含む。もし、クロスコネクトサブシステム１４−１８が、小さいシステムにおける互いに極めて接近して設けられているサブシステムのように、同一位置に配置されているなら、共通のタイミング／通信制御装置サブシステム２５が用いられる。もし、サブシステム１４−１８が同一位置に配置されていないなら、分離され独立したタイミング参照信号を各々のサブシステム１４−１８に与える分離されたタイミング／通身制御装置サブシステム２５が用いられる。このタイミングスキームは、３つのタイムベースが１つの統合システム１０内において用いられるという、ユニークなタイミングアーキテクチャを創出する。従って、システム内においてタイムベースの境界及び他の点で、周波数のジャスティフィケーション及び位相のアライメントが扱われる。
管理及び制御サブシステム１２は、標準の通信インタフェース又はより長距離向けの光リンクを介して、ブロードバンド、ワイドバンド及びナローバンドサブシステム１４−１８に結合される。システム１０における光リンクはインテグレーテドオフィスリンク即ちＩＯＬと呼ばれ、以下においてそのように参照される。ＩＯＬはＯＣ−Ｎレートでオペレートされ、ペイロードデータ、タイムベース情報、制御情報、障害回復情報及びＩＯＬオーバヘッドフィールド内のネットワークインタフェースカードから抜き出されたオーバヘッドを搬送する。ブロードバンド、ワイドバンド及びナローバンドの各々は、各々のレベルでの信号のクロスコネクションのために、分離されたマトリクス２０−２４を含む。ブロードバンドマトリクス２０は、好ましくはＳＴＳ−１レートで信号をスイッチングするブロック化されていない（non-blocking）３ステージの空間アーキテクチャからなるであろう。ワイドバンドマトリクス２２は、また、ＶＴ１．５又はＶＴ２レートで信号をスイッチングする前記３ステージの空間アーキテクチャからなるであろう。これに加えて、マトリクス２０及び２２の双方は、より高いレートでスイッチするために、多重マトリクスチャネル及び連鎖した信号を用いるであろう。これらはＳＴＳ−３Ｃ、ＳＴＳ−１２Ｃ、ＶＴ３、ＶＴ６及びＶＴ６Ｎｃを含むが、これに限定されない。ナローバンドマトリクス２４は、ＤＳ０を含むより低いレートで信号をクロスコネクトするためのマトリクス面を交換する、冗長なブロック化されていないデュアルタイムスロットを与える。北アメリカ及びヨーロッパのレート及びフォーマットの双方がサポートされる。システム１０は、従って、ＤＳ１及びＤＳ３での非同期ターミナネーションをサポートし、ＳＴＳ−１レートで及びＯＣ−３とＯＣ−１２とを含むＯＣ−Ｎレートでの同期ＳＯＮＥＴターミナネーションをサポートする。
ブロードバンドマトリクス２０は、各々が光ＩＯＬ３４及び３６を用いる関連する高速光（ＨＳＯ）及び高速電気（ＨＳＥ）ユニットシェルフ３０及び３２に結合される。ＩＯＬ上でトランスポートされる信号は、オーバヘッドフィールドを少し修正して使用された標準ＯＣ−１２フレームフォーマット内に存在するであろう。各々のＩＯＬは、１２個のＳＴＳ−１のような（ＳＴＳ−１Ｐ）ペイロードと、内部の障害回復、通信チャネル、スーパーフレームインジケータ信号及びネットワークターミネーションに関連した情報に用いられる信号が含まれた多数の非標準オーバヘッドフィールドとを搬送する。これらのオーバヘッドフィールド及びその機能は以下において、より詳細に述べられる。
クロスコネクト構造を相互に接続するために用いられる場合、ＩＯＬは、ネットワークトラヒック、タイミング情報及び障害回復信号を搬送する。ＩＯＬ３４及び３６は、また、高速ユニット３０及び３２をブロードバンドマトリクス２０に接続するため、及び、遠隔の低速ユニット５４をワイドバンドマトリクス２２に接続するために用いられる。ユニットシェルフを接続するために用いられる場合、ＩＯＬは、メンテナンス及び制御信号と、ネットワークトラヒックに加えてネットワークターミネーションに関連したオーバヘッド信号とを搬送する。各々のＩＯＬは、システム１０において、最長の長さとして２キロメートルまでを有するとして規定されるであろう。このＩＯＬの長距離性能は、種々のフロアプラン及び最小の取付けコストを実現するための柱の区画の物理的な配列の仕方に柔軟性を与える。
既に示したように、ＯＣ−３とＯＣ−１２信号とを含むＯＣ−Ｎ信号は、ＩＯＬ３４を介してブロードバンドマトリクス２０に結合された高速光ユニット３０においてラインターミネートされる。全てが電気信号であるＳＴＳ−１及びＤＳ３ラインターミネションは、高速電気ユニット３２で与えられる。ネットワーク信号はＳＴＳ−１レートでブロードバンドマトリクス２０を通してクロスコネクトされる。ＯＣ−Ｎ又は電気ＳＴＳ−１信号に関連するＳＴＳ−１同期ペイロードエンベロープ（ＳＰＥ）は、ブロードバンドタイムベースに組み合わされたＳＴＳ−１Ｐフレームにクロスコネクトされる。ＤＳ３のクロスコネクションは、ＳＯＮＥＴ標準に従うＳＴＳ−１Ｐ  ＳＰＥ信号内に非同期にＤＳ３信号を配置することにより行われる。ＳＴＳ−１Ｐ  ＳＰＥ信号はその後ＳＴＳ−１Ｐフレーム内に配置される。
ブロードバンドマトリクス２０は、更に、ＩＯＬ４０を介してワイドバンドサブシステム１６に結合される。ワイドバンドサブシステム１６は他のＩＯＬ４２を介してナローバンドサブシステム１８に結合される。上述のように、ＩＯＬ３４、３６、４０及び４２は２キロメートルまでの長さであろうし、１２個のＳＴＳ−１Ｐペイロード及びオーバヘッドフィールドを搬送するように適応させられる。ＩＯＬにより搬送されるオーバヘッドフィールド内の情報は、非標準であり、メンテナンス、制御、障害回復及びネットワークインタフェースから抜き出されたオーバヘッドの中央集中形オーバヘッドプロセッサへのトランスポートのために用いられる。光リンクＩＯＬ３４、３６、４０及び４２上の双方向トラヒックは標準ＳＯＮＥＴ  ＯＣ−１２レートで送信される。
ブロードバンドマトリクス２０は、インタフェースユニット又は従属シグナルプロセッサ（ＴＳＰ）５０を通して、ワイドバンドマトリクス２２に結合される。従属シグナルプロセッサ５２は、また、ワイドバンドマトリクス２２とナローバンドサブシステム１８との間、及び、ワイドバンドマトリクス２２と低速（ＬＳ）ユニット５４との間のインタフェースとしても働く。従属シグナルプロセッサ５０−５２は、統合多重構造デジタルクロスコネクトシステム１０のタイミングアーキテクチャにおける重要な役割を果たす。詳細は以下に述べられる。
ワイドバンドサブシステム１６はＤＳ１又はＥ１信号を含むラインターミネーションをサポートする。ＤＳ３及びＳＴＳ−１を含むより速いレートのネットワーク信号は、ブロードバンドサブシステム１４を通してワイドバンドサブシステム１６にアクセスするであろう。ＤＳ１のターミネーションは遠隔の及び／又はローカルの低速ユニットサブシステム５４及び５６で実現される。ここで、遠隔の低速ユニット５４は、他の従属シグナルプロセッサ６０を通したＩＯＬ５８を介して、ワイドバンドマトリクスに結合される。ワイドバンド信号は、ＶＴ２信号を搬送する機能の非標準のペイロードエンベロープが含まれた修正された同期チャネルにおいて、クロスコネクトされる。ＤＳ１、Ｅ１及びＶＴ信号のような非同期信号は、内部の非標準トラヒック及びクロスコネクションのためのワイドバンド修正チャネル内に配置される。Ｅ１、ＤＳ１Ｃ及びＤＳ２ゲートウェイと非同期クロスコネクションとは、標準のＳＯＮＥＴ配置仕様を用いて、各々、ＶＴ２、ＶＴ３及びＶＴ６ペイロードエンベロープ内に配置される。マトリクストラヒックフォーマット（ＭＴＦ）信号には、その各々がＶＴ２ペイロードを搬送する機能のある、２８チャネルが含まれる。図１に示すように、ワイドバンドマトリクス２２と、従属シグナルプロセッサ５０、５２及び６０との間、低速ユニット５６との間、及び、変換ユニット５９との間における信号トラヒックは、全てマトリクストランスポートフォーマット内にある。マトリクストランスポートフォーマットのより詳細な説明のために、本願と共に出願に係属中で本願と共に譲渡される「統合多重レートクロスコネクトシステム」（代理人ドケットナンバ３６５６０−７７３）なる出願であって、ここに参照文献として挿入される出願を参照されたい。
ナローバンドマトリクス２４はナローバンドインタフェースユニット６２を通してワイドバンドサブシステム１６に結合される。ナローバンドマトリクス２４に結合されたクロスコネクトインタフェースユニット６４は、ＤＳ１及びＤＳ３のバンド幅を含むレートでの、信号の電気的ターミネーションを与える。ナローバンドサブシステム１８は、一般には、ワイドバンドサブシステム１６を通してネットワークトラヒックにアクセスするようにされる。ＤＳ０を含むより低いレートの信号はナローバンドマトリクス２４によってクロスコネクトされる。統合多重構造デジタルクロスコネクトシステムのハードウェアアーキテクチャのより詳細な説明のために、本願と共に出願に係属中である「統合多重レートクロスコネクトシステム」（代理人ドケットナンバ３６５６０−７７３）なる出願を参照されたい。
図２を参照すると、ブロードバンド構造２４がより詳細に示される。ブロードバンドマトリクス２０は、ＩＯＬに対するインタフェースとして働くマトリクスインタフェース（ＭＩ）ユニット８０−９４と連携してＡ部とＢ部即ち面７０と７２とに二重にされ、ＳＴＳ−１Ｐ及びＩＯＬ信号の間のマルチプレクス及びデマルチプレクス機能を第１義的（primarily）に実行する。ＩＯＬ１０４−１１０によってブロードバンドマトリクス２０に結合されるものとして、高速光（ＨＯＳ）ユニット又はシェルフ１００及び１０２があり、これらは第１にブロードバンドマトリクス２０と光領域との間のインタフェースとして機能する。高速光ユニット１００及び１０２は、図に示すように、ＯＣ−１２及びＯＣ−３信号を含むＳＯＮＥＴ  ＯＣ−Ｎ信号をターミネートする。ＯＣ−１２高速光ユニット１００は、その各々がＩＯＬ１０４及び１０６に搬送されたＩＯＬ信号のＡ部及びＢ部におけるマルチプレクス及びデマルチプレクスをするためのマトリクスインタフェースユニット１１２及び１１４を含む。マトリクスインタフェースユニット１１２及び１１４はＡ部及びＢ部の信号グルーマ（ＳＧ）１１６及び１１８に結合される。グルーマ１１６及び１１８はマトリクスインタフェースユニット１１２及び１１４又は光ターミネータ（ＯＴ）１２０から受信したＳＴＳ−１Ｐ信号をグルーム又はスイッチする。グルーマ１１６及び１１８は図３に示されるユニット制御装置に結合されるであろう。同様に、ＯＣ−３高速光シェルフ１０２は、マトリクスインタフェースユニット１３０及び１３２、信号グルーマ１３４及び１３６及び光ターミネータ１３８のＡ部及びＢ部を含む。
ワイドバンドマトリクスサブシステムとの接続のために、従属シグナルプロセッサユニット５０が与えられる。従属シグナルプロセッサユニット５０は冗長な従属シグナルプロセッサ１７７及びマトリクスインタフェースユニット１７８を含む。マトリクスインタフェースユニット１７８はＩＯＬ光信号及びＳＴＳ−１Ｐ信号の間を変換する。従属シグナルプロセッサ１７７パスは、ＤＳ３、ＤＳ１及びＶＴ信号を抜き出すためにＳＴＳ−１Ｐをターミネートし、ワイドバンドマトリクスへの送信のためにそれらをマトリクストランスポートフォーマット信号内に配置する。
また、図３を参照すると、高速光ユニット３０におけるオーバヘッドフィールド情報についてのルーティング（経路選択）及び処理を示す簡単化されたブロック図が示される。ＯＣ−Ｎフォーマットにおける光ターミネータ１２０及び１３８の受信入力（端子）で、光領域からの入データが受信される。光信号はＮＲＺ電気信号に変換される。この電気信号から、クロック及びフレームがリカバーされ、ＳＴＳ−Ｎ信号の品質がチェックされる。このデータは、その後、アンスクランブルされ、ＳＴＳ−１Ｐ信号にデマルチプレクスされるであろう。
セクション及びラインオーバヘッドバイトがこの時抜き出され、処理される。光ターミネータ１２０及び１３８で処理されないネットワーク信号に関連するこれらのオーバヘッドバイトは、処理及びターミネーションのために、Ａ部及びＢ部における付属プロセッサ１４０及び１４２へ経路に従って送信される。一方、オーバヘッドは、付属プロセッサを通して、ＩＯＬ−Ｎへの挿入のためにＭＩへ経路に従って送信されるであろう。オーバヘッドは、ブロックマトリクスで抜き出され、処理及びターミネーションのために中央集中形オーバヘッドプロセッサへ経路に従って送信されることができる。オーバヘッド情報が抜き出され処理された後、ＳＴＳ−１信号はＳＯＮＥＴ標準による仕様に沿ってポインタ処理され、ＳＴＳ同期ペイロードエンベロープ（ＳＰＥ）は抜き出されシステムに時間を合わせられる。非標準のＳＴＳ−１Ｐオーバヘッドデータはラインオーバヘッド内に挿入され、その結果、ＳＴＳ−１Ｐ信号は冗長なグルーマ１１６、１３４、１１８及び１３６へ経路に従って送信され、これらにおいて前記信号はスイッチされユニット制御装置１４４及び１４６によって命令されて保護される。
出力ＳＴＳ−１Ｐ信号は、その後、冗長なマトリクスインタフェースユニット１１２、１３０、１１４及び１３２へ経路に従って送信される。マトリクスインタフェースユニット１１２、１３０、１１４及び１３２において、ＳＴＳ−１Ｐ信号の各々の品質がチェックされる。マトリクスインタフェースユニット１１２、１３０、１１４及び１３２は、更に、１２個のＳＴＳ−１Ｐ信号をＩＯＬ信号内にマルチプレクスする。他のレートも実施できるが、この実施例のＩＯＬはＯＣ−１２レートであることに注意すべきである。抜き出されたネットワークオーバヘッド及びいくつかの障害回復フィールドを含むある特定の非標準オーバヘッドフィールドは、付属プロセッサ１４０及び１４２において生成され、集中処理部分（complex）にトランスポートするためのＩＯＬオーバヘッドのオーバヘッドトランスポート（ＯＨＴ）フィールド内に配置される。ユニット制御装置１４４及び１４６は、更に、ブロードバンドマトリクスを通してＴＣＣサブシステム２５と通信するための制御情報（ＩＯＬ−ＣＯＭ）を生成する。２個のＩＯＬ−ＣＯＭチャネル（Ａ部及びＢ部）はこの目的のために用いられ、ＩＯＬ−ＣＯＭ情報は、ＩＯＬ障害回復フィールドがＭＩによって挿入されたＩＯＬオーバヘッド内の適正なフィールド内に挿入される。
冗長なブロードバンドマトリクス２０からの出データはマトリクスインタフェースユニット１１２、１３０、１１４及び１３２の光入力で受信される。ＩＯＬ光信号はＮＲＺ  ＳＴＳ−１２Ｐ電気信号に変換される。この電気信号からクロック信号がリカバーされる。フレームもまたリカバーされ、ＳＴＳ−１２Ｐ信号の品質がチェックされる。データは、この後、アンスクランブルされ１２個のＳＴＳ−１Ｐ信号にデマルチプレクスされる。ＩＯＬ−ＣＯＭオーバヘッドバイトはＩＯＬオーバヘッドフィールドから抜き出され、当該情報がインタープリートされ適正な動作が実行されるユニット制御装置１４４及び１４６に転送される。オーバヘッドトランスポートフィールドは、また、付属プロセッサ１４０及び１４２を介して光ターミネータ１２０及び１３８へ経路に従って送信される。これらのフィールドは出ネットワーク信号のオーバヘッドへの挿入のために選択されることができる。ＳＴＳ−１Ｐ信号は、回復させられ、ＳＴＳ−１Ｐ信号をスイッチし保護するグルーマ１１６、１３４、１１８及び１３６へ経路に従って送信される。出力ＳＴＳ−１Ｐ信号は光ターミネータ１２０及び１３８に送信される。光ターミネータ１２０及び１３８は、各々の信号の品質をチェックし、適正なＳＴＳ−Ｎ信号にオーバヘッドバイトを挿入しかつＳＴＳ−１信号をマルチプレクスし、及び、ネットワーク上への送信のためにＳＴＳ−Ｎ信号を適正なＯＣ−Ｎ光信号に変換する。
また、ブロードバンドマトリクス２０に結合されるものとして、高速電気（ＨＳＥ）ユニット又はシェルフ３２がある。高速電気ユニット３２はＡ及びＢの冗長な面のためにマトリクスインタフェースユニット１５０−１５６を含む。マトリクスインタフェースユニット１５０−１５６は、２４個のネットワークパック（ＮＰ）ユニット１６０及び１６２である２個のグループと、２個の予備のユニット１６４及び１６６とに結合される。ネットワークパックユニット１６０−１６６はＤＳ３又はＳＴＳ−１のいずれかのターミネーションのためのラインターミネーティング装置である。各々のグループにおいて、一方の予備のネットワークパックユニットがＤＳ３の保護のために供され、他方がＳＴＳ−１の保護のために供される。冗長スイッチ（ＲＳ）１７０各々の１７２は、もし本来のネットワークパックユニットが故障したら、ネットワークパックユニットの各々のグループのために２個の予備のユニットの１個をスイッチするために与えられる。
ＤＳ３又はＳＴＳ−１レートのトラヒックを搬送するネットワークケーブルへのインタフェースは、カスタマインタフェースパネル（ＣＩＰ）１７４及び１７６により与えられる。図２に明らかなように、高速電気ユニット３２は、ＤＳ３及びＳＴＳ−１信号を保護する装置で、４８個のＤＳ３及び／又はＳＴＳ−１ネットワーク信号をターミネートする能力を有する。
図４を参照すると、高速電気ユニット３２におけるオーバヘッドのルーティング及び処理が示されている。ある特定のセクション及びラインのオーバヘッドバイトはカスタマインタフェースパネル１７４及び１７６において処理されターミネートされる。しかし、そこで処理されない他のオーバヘッドバイトは、処理のために付属プロセッサ１８０及び１８２又は集中処理部分へ経路に従って送信される。付属プロセッサ１８０及び１８２はオーバヘッドトランスポートフィールドを生成し、これらはＩＯＬ信号内への挿入のためにマトリクスインタフェースユニット１５０−１５６へ経路に従って送信される。冗長ユニット制御装置１８４及び１８６は、また、高速電気ユニット３２を制御するために、ＩＯＬオーバヘッドフィールドを介してタイミング／通信制御装置サブシステム２５と通信するオペレーションを与える。
図５を参照すると、ＳＯＮＥＴトランスポートとパスオーバヘッドバイトの命令を表した図が示される。これらのオーバヘッドフィールドのフォーマット及び機能は、ＳＯＮＥＴ標準により規定され、その詳細は、Bellcoreの出版物「同期光ネットワーク（ＳＯＮＥＴ）トランスポートシステム」のCommon Generic Criteria, Technical Reference TR-NWT-000253及びTechnical Advisory TA-NWT-000253にある。他の関連するBellcoreの出版物もまた参考とされるであろう。オーバヘッドフィールドは、更に、表１及び表２に要約される。
0003803974.tif 000002
0003803974.tif 000003
上述のように、ある特定のオーバヘッドバイトが高速光及び電気ユニットのネットワークインタフェースユニット（ＯＴ及びＣＩＰ）において処理されターミネートされ、他のある特定のオーバヘッドバイトが処理のために付属プロセッサへ経路に従って送信される。付属プロセッサは更に非標準ネットワークオーバヘッドトランスポート情報（ＯＨＴ）を生成し受信し、ユニット制御装置は更にＩＯＬオーバヘッド内に挿入するために非標準ＩＯＬ通信チャネル情報（ＩＯＬ−ＣＯＭ）を生成し受信する。従って、ＩＯＬオーバヘッドフィールドは、全てのＳＯＮＥＴセクションと選択されたオーバヘッドフィールドの再定義を伴うラインオーバヘッドフィールドとを含む。ＩＯＬオーバヘッドフィールドは表３に要約されるように４グループに分類されるであろう。
0003803974.tif 000004
特に、ある特定のＳＴＳ−１Ｐオーバヘッドフィールドは障害検出及び切分け情報と制御とを与える。ＳＴＳ−１Ｐオーバヘッドは表４に要約される。
0003803974.tif 000005
簡単に述べると、ＥＣ−ＢＩＰは、送信におけるパリティエラーを検出するために用いられたキャパシティビットインターリーブドパリティー８をさえも包摂する。ＢＣＩＤは、エンドツーエンドの障害を検出するために用いられたクロスコネクトマトリクスにおけるターミネーティングポイントの各々に関連する、ユニークなチャネル識別コードである。ＳＭＥは障害切分けプロセスを同期させるために用いられるビットである。ＳＦＩはワイドバンドサブシステム１６において用いられる４８個のフレームのスーパーフレーム構造を規定するために用いられる。ＤＳＡＩは、ＤＳ３のアラーム指示信号（ＡＩＳ）が生成されること、又は、ＡＩＳが生成されるであろうというネットワークの状態がＤＳ３インタフェースで検出され報告されたことを、下流の装置に指示するために用いられる。ＳＴＡＩは、ＳＴＳパスのアラーム指示信号（ＡＩＳ）が生成されること、又は、ネットワークから受信したＳＴＳ−１信号のためにＡＩＳが生成されるであろうというネットワークの状態が検出されたことを、指示するために用いられる。
図６を参照すると、図５の回路２１０のＳＴＳ−１Ｐパスモニタリング部２１６が示される。ＳＴＳ−１Ｐパスモニタリング回路２１６は、２個のＳＴＳ−１Ｐ及びクロックデータストリームと、２個の一体に生成されたＳＴＳ−１Ｐ及びクロックデータストリームとを選択するフロントエンドマルチプレクサ２１８を含む。一体に生成されたビットストリームはシステムの特徴及び試験の目的のために選択されるであろう。選択されたＳＴＳ−１Ｐデータストリームは、ＳＴＳ−１Ｐオーバヘッド（図５）のバイトＡ１及びＡ２によるフレーミングパターンを検出するフレーマ２２０によって受信される。Ａ１及びＡ２のパターンを検出すると、Ａ１及びＡ２の直ぐ後のＣ１バイトを識別するバイト幅フレームパルスが創出される。各々のフレーマ２２０はデータストリームを変換して、バイト幅のパラレルデータを出力する。アウトオブフレーム（ＯＯＦ）信号は、連続してエラーであるフレーミングパターンが予め定められた数だけ検出された時に、生成される。アウトオブフレーム信号又はビットは、２個の連続したエラーでないフレームが受信された後に、クリアされる。バイト幅のデータは、続いて、バイトＡ１、Ａ２及びＣ１以外のフレームバイトをデスクランブルするように命令されるであろうデスクランブラ２２２に与えられる。
デスクランブラ２２２からの出力は、その後、エンベロープキャパシティビットインターリーブドパリティ−８（ＥＣ−ＢＩＰ）モニタ２２４、ＥＣ−ＢＩＰカリキュレータ２２５及びチャネル識別（ＣＩＤ）モニタ２２６を含む多数のエラーモニタリング回路に与えられる。パリティＢＩＰ−８でさえもＳＴＳ−１Ｐフレームのラインエンベロープキャパシティでモニタされる。ＳＯＮＥＴの規定に従って、ＳＴＳ−１Ｐフレームの各々は、先行するＳＴＳ−１ＰフレームのＥＣ−ＢＩＰを搬送する。従って、ＥＣ−ＢＩＰカリキュレータ２２５は、デスクランブラ２２２から現在のバイト幅のＳＴＳ−１Ｐ信号を受信し、ＳＯＮＥＴの規定に従ってパリティＢＩＰ−８をも計算する。計算されたＥＣ−ＢＩＰは、その後、計算されたＥＣ−ＢＩＰと続きのＳＴＳ−１Ｐフレームから抜き出されたＥＣ−ＢＩＰとを比較するＥＣ−ＢＩＰモニタ２２４に与えられる。もし、２つの値が等しくなかったら、パリティエラーが表される。カウンタ（図示せず）が発生したエラーの数を蓄積するために用いられるであろう。エラーカウンタ及びＢＩＰ値はプロセッサの制御によってアクセス可能とされるであろう。ＥＣ−ＢＩＰバイトはＳＯＮＥＴのラインオーバヘッドにおいて規定され、Ｂ２バイトの位置を占めることに注意すべきである。
ＳＴＳ−１ＰオーバヘッドにおけるＢＣＩＤフィールドは、ブロードバンドマトリクス２０に関連してＳＴＳ−１Ｐ信号の各々に与えられるユニークなコードを搬送するために用いられる。ＢＣＩＤは、マトリクスにおけるターミネーションポイントの連続したアドレスがあり、マトリクスにおいて正しいエンドツーエンドのコネクションが維持されているかを決定するために用いられる。ラインターミネーション装置は、クロスコネクションの時に各々のＳＴＳ−１ＰのためにＢＣＩＤの値を決定し、マトリクスのターミネーションポイントでのコードを記憶する。ターミネーションポイントのチャネル識別モニタ２２６は、パラレルのバイト、ＳＴＳ−１Ｐ信号に整合したバイトを受信し、ＳＴＳ−１ＰオーバヘッドからＢＣＩＤを抜き出す。抜き出された値は、その後、記憶されたＢＣＩＤと比較される。抜き出されたＢＣＩＤと記憶されたコードとの間の不一致は、ブロードバンドマトリクスにおけるクロスコネクションのエラーを示す。ＢＣＩＤの長さは１バイトを越えても良く、連続したＳＴＳ−１Ｐフレームにおいてトランスポートされるであろうことに注意すべきである。
ＳＴＳ−１Ｐオーバヘッド内のＥＣ−ＢＩＰ及びＢＣＩＤコードは、連続的に生成され、障害検出及び冗長な面の選択のためのブロードバンド障害回復領域のエンドポイント（端局）でモニタされる。フレームエラー及びアウトオブフレームの状態も、また、前記エンドポイントでモニタされる。ブロードバンド障害回復エンドポイントは、ワイドバンドマトリクスサブシステム１６内の高速光及び電気ユニットと従属シグナルプロセッサとを含む。より詳細な一例としては、高速電気ユニット３２のネットワークパック１６０−１６６が、入及び出トラヒックの方向のために、ＥＣ−ＢＩＰ値を生成しチェックする。ネットワークパック１６０−１６６は、また、正しいマトリクスコネクションが確立されたかを決定するために、ＢＣＩＤを生成しモニタする。高速光ユニット３０において、光ターミネータ１２０及び１３８はＥＣ−ＢＩＰ及びＢＣＩＤフィールドを含むセクション及びラインオーバヘッドを生成し抜き出す。ある特定の他のセクション及びラインオーバヘッドフィールドは付属プロセッサ１４０及び１４２で生成され抜き出される。
一旦、パス障害が検出されると、障害を引き起こした装置が決定される。パス障害切分けプロセスは障害の位置を検出することを開始させる。通常のオペレーションでは、連続してモニタされるべきであってエンドポイントでのみ報告されるべきである障害切分けエラー状態を許容するために、ＳＭＥビットがセットされる。しかし、エラーが報告された時には、マトリクスインタフェースユニット内及び故障したパスに沿ったマトリクス内のモニタ回路が、故障した装置の位置を突き止めるために活性化される。間欠性の故障状態にある障害を切分けるために、故障したデータパスに沿ったモニタの全てが、同一のデータセグメントをモニタしなければならない。もし、モニタポイントの各々でのモニタリング期間が中央の制御構造（structure）によって同期させられていたなら、制御構造を通る時のコマンドの遅延のために、モニタ回路は同時にスタートしたりストップすることがないであろう。従って、ＳＭＥビットは、データパス内の各々のモニタが同一のデータセグメントをチェックすることを保証するために、障害切分けプロセスを同期させるために用いられる。
図７を参照すると、欠陥切分けプロセス２３０のフローチャートが示される。障害回復エンドポイントでエラーが検出された時、ブロック２３２に示すように、エラーが報告され、前記信号によって考察されたパスが識別される。ブロック２３４において、ＳＴＳ−１Ｐモニタイネーブル（ＳＭＥ）は、データパスの発生ポイントでＳＴＳ−１Ｐオーバヘッド内の対応するビットをリセットされることにより非活性化される。ＳＴＳ−１Ｐオーバヘッド内のクリアされたＳＭＥビットを受信すると、ブロック２３６に示すように、試験データパス内の下流のモニタは、モニタリング動作を直ちにストップさせられ、初期化される。試験データパス内に存在しないモニタは、影響を受けることなくモニタすることをを継続し、障害を報告する。ブロック２３８各々の２４０において、ＳＭＥがＳＴＳ−１Ｐオーバヘッド内にセットされるに伴い、予め定められた試験期間で初期化されたタイマがスタートさせられる。ＳＭＥビットを受信すると、試験データパス内のモニタは活性化され、セットタイムの期間、エラーをモニタし報告することを開始する。タイマの終了した時点で、ブロック２４２に示すように、ＳＭＥは再びリセットされる。試験データパス内の全てのモニタは、ブロック２４４に示すように、その後、特定の装置又はデバイスについての障害の発生源を切分けるために質問される。リカバリのプロシジャは、その後、故障した装置を除去するか又は迂回するために初期化されるであろう。通常のオペレーションが、ブロック２４６に示すように、ＳＭＥビットがセットされた後に、再び開始される。障害切分けプロシジャはブロック２４８において終了する。ＳＭＥビットによって同期させられた障害切分けのシーケンスは図８に要約される。
ここには詳細には述べなかったが、ワイドバンドサブシステム１６におけるＩＯＬ構造と障害回復及び切分けとは、実質的に同様の方法でオペレートされる。特に、ワイドバンドサブシステム１６を通して搬送される非同期信号は、マトリクスペイロードキャパシティ（ＭＰＣ）ペイロードにおいて搬送される。ＭＰＣ信号は、修正された規定とＳＴＳ−１Ｐオーバヘッドフィールドのそれと同様のオーバヘッドフィールドの使用と共にではあるが、仮想的従属信号に対応する同期フレームフォーマットを使用する。ＶＴ及びＭＰＣ信号は、ワイドバンドマトリクス２２を通してのトランスポートのために、マトリクスペイロードエンベロープ（ＭＰＥ）信号内に配置される。チャネルオーバヘッド（ＣＯＨ）バイトはＭＰＥ又はＭＰＣチャネルの各々のためのパリティフィールドを搬送し、ＶＴパリティ（ＶＴＰ）バイトは全体のＶＴ又はＭＰＣのためのパリティフィールドを搬送する。ＶＴＰは、トランスポートのために１個のＭＰＥチャネル以上のものを要求するペイロードのためのエンドツーエンドのカバレジを与えるように、第一義的に規定される。ＣＯＨは２４個のフレームのスーパーフレームで規定され、ＶＴＰは４個のフレームのスーパーフレームで規定される。ＣＯＨ信号は上述したＢＣＩＤと同様のワイドバンドチャネル識別コード（ＷＣＩＤ）を搬送する。ＣＯＨは、また、ＭＰＥ又はＭＰＣチャネルのペイロードで生成されたＢＩＰ−２と、上述したＳＭＥと同様のチャネルモニタイネーブル（ＣＭＥ）とを搬送する。
本発明とその利点について詳細に説明したが、添付されたクレームによって規定される本発明の主旨及び範囲から逸脱することなく、種々の変更、置換及び交換が可能であることが理解できるであろう。
【図１】
0003803974.tif 000006
【図２Ａ】
0003803974.tif 000007
【図２Ｂ】
0003803974.tif 000008
【図３】
0003803974.tif 000009
【図４】
0003803974.tif 000010
【図５】
0003803974.tif 000011
【図６】
0003803974.tif 000012
【図７】
0003803974.tif 000013
【図８】
0003803974.tif 000014